(57)【特許請求の範囲】
【請求項１】
機体に支持されたロータリ耕耘装置と、
前記ロータリ耕耘装置の後部に支持され、前記機体の進行に伴って前記ロータリ耕耘装置の後方の左右中央付近に前記ロータリ耕耘装置により耕耘された土を盛って畝を形成する複数の畝盛り部材と、が備えられ、
前記複数の畝盛り部材は、夫々が形成する畝の外周部形状が異なるように構成され、かつ、前後に並べて設けられ、
前記畝盛り部材は、畝を形成可能な使用状態と、畝を形成不能な非使用状態とに切り換えられる歩行型管理機。
【請求項２】
前記畝盛り部材は、前記畝盛り部材の左右方向の位置変更及び前記畝盛り部材とは別の畝盛り部材の左右方向の位置変更の少なくとも何れか一方によって、前記使用状態と前記非使用状態とに切り換えられる請求項１に記載の歩行型管理機。
【請求項３】
前記畝盛り部材は、上側に持ち上げられた状態で保持されて前記非使用状態となり、
複数の前記畝盛り部材のうちの一つ又は複数の前記畝盛り部材を前記非使用状態とすることによって、特定の前記畝盛り部材が前記使用状態となる請求項１に記載の歩行型管理機。
【請求項４】
複数の前記畝盛り部材は、形成可能な畝の断面形状の大きさが異なるように構成され、且つ、前記断面形状が順番に大きくなるように前後に並べられ、
前記畝盛り部材は、前記畝盛り部材よりも前記断面形状が小さい前記畝盛り部材を全て前記非使用状態に切り換えることで前記使用状態となる請求項１から３の何れか一項に記載の歩行型管理機。
【発明の詳細な説明】
【技術分野】
【０００１】
本発明は、ロータリ耕耘装置を機体に備えた歩行型管理機に関する。
【背景技術】
【０００２】
ロータリ耕耘装置を機体に備えた歩行型管理機として、特許文献１に開示されているように、ロータリ耕耘装置の後部に平板状の整地板（特許文献１の図１及び図３の３）を備え、培土板（特許文献１の図１及び図３の１０，１１）を整地板に備えたものがある。
【０００３】
特許文献１の歩行型管理機によると、培土板を整地板に沿うように畳んでおくことによって（特許文献１の図３参照）、ロータリ耕耘装置及び整地板により、通常の平面状の地面を得る平耕耘作業を行うことができる。
培土板を下向きに姿勢変更して固定することによって（特許文献１の図１及び図７参照）、ロータリ耕耘装置及び培土板により、ロータリ耕耘装置の後方の左右中央付近に土を盛って畝を形成することができる。
【先行技術文献】
【特許文献】
【０００４】
【特許文献１】特開２０１２−７５４２４号公報
【発明の概要】
【発明が解決しようとする課題】
【０００５】
一つの圃場で一つの作物を作付けし、別の圃場では別の作物を作付けするような場合、作物によって適した畝の外周部形状（例えば、畝の高さや横幅等）が異なることがある。
これにより、特許文献１の歩行型管理機において、一つの圃場で畝の形成を行った後、別の圃場で外周部形状の異なる畝を形成する場合、培土板を整地板から取り外して、別の培土板を整地板に取り付けるような作業を行う必要があるので、作業性の面で改善の余地がある。
本発明は、ロータリ耕耘装置を機体に備えた歩行型管理機において、外周部形状の異なる畝を形成する場合、作業性の向上を図ることを目的としている。
【課題を解決するための手段】
【０００６】
本発明の特徴は、歩行型管理機において次のように構成することにある。
機体に支持されたロータリ耕耘装置と、
前記ロータリ耕耘装置の後部に支持され、前記機体の進行に伴って前記ロータリ耕耘装置の後方の左右中央付近に前記ロータリ耕耘装置により耕耘された土を盛って畝を形成する複数の畝盛り部材と、が備えられ、
前記複数の畝盛り部材は、夫々が形成する畝の外周部形状が異なるように構成され、かつ、前後に並べて設けられ、
前記畝盛り部材は、畝を形成可能な使用状態と、畝を形成不能な非使用状態とに切り換えられる。
【０００７】
本発明によると、ロータリ耕耘装置の後部に畝盛り部材が支持されており、機体の進行に伴ってロータリ耕耘装置の後方の左右中央付近に、ロータリ耕耘装置により耕耘された土が畝盛り部材により盛られて畝が形成される。
【０００８】
本発明によると、形成する畝の外周部形状が異なるものとなる複数の畝盛り部材が、ロータリ耕耘装置の後部に前後に並べて支持されているので、作業者が複数の畝盛り部材のうち一つ又は複数の畝盛り部材を選択して非使用状態に切り換えることにより、非使用状態に切り換えられなかった畝盛り部材（使用状態に残された畝盛り部材）によって、畝が形成される。
【０００９】
これにより、作業者が複数の畝盛り部材のうちから非使用状態に切り換える畝盛り部材を選択（変更）することによって、使用状態の畝盛り部材により外周部形状の異なる畝を形成することができる。
従って、特許文献１の歩行型管理機のように、外周部形状の異なる畝を形成する為に、畝盛り部材（培土板）を取り外して、別の畝盛り部材（培土板）を取り付けるような作業を行う必要がないので、作業性の良い歩行型管理機が得られる。
【００１０】
本発明において、
前記畝盛り部材は、前記畝盛り部材の左右方向の位置変更及び前記畝盛り部材とは別の畝盛り部材の左右方向の位置変更の少なくとも何れか一方によって、前記使用状態と前記非使用状態とに切り換えられると好適である。
【００１１】
本発明によると、ロータリ耕耘装置の後部において、畝盛り部材を左右方向に位置変更するという簡単な操作によって、畝盛り部材を使用状態及び非使用状態に切り換えることができるのであり、この点において作業性の向上を図ることができる。
【００１２】
本発明において、
前記畝盛り部材は、上側に持ち上げられた状態で保持されて前記非使用状態となり、
複数の前記畝盛り部材のうちの一つ又は複数の前記畝盛り部材を前記非使用状態とすることによって、特定の前記畝盛り部材が前記使用状態となると好適である。
【００１３】
本発明によると、ロータリ耕耘装置の後部において、畝盛り部材を上側に持ち上げて保持するという簡単な操作によって、畝盛り部材を非使用状態に切り換えることができるのであり、この点において作業性の向上を図ることができる。
【００１４】
本発明において、
複数の前記畝盛り部材は、形成可能な畝の断面形状の大きさが異なるように構成され、且つ、前記断面形状が順番に大きくなるように前後に並べられ、
前記畝盛り部材は、前記畝盛り部材よりも前記断面形状が小さい前記畝盛り部材を全て前記非使用状態に切り換えることで前記使用状態となると好適である。
【００１５】
本発明によると、畝の断面形状が最も小さなものとなる畝盛り部材を非使用状態に切り換えると、この畝盛り部材の次に畝の断面形状が小さなものとなる畝盛り部材が使用状態となるのであり、次にこの畝盛り部材を非使用状態に切り換えると、この畝盛り部材の次に畝の断面形状が小さなものとなる畝盛り部材が使用状態となる。
このように、畝の断面形状が最も小さなものとなる畝盛り部材から順番に非使用状態に切り換えていくことにより、断面形状の小さい畝が形成される状態から、順番に断面形状の大きな畝が形成される状態を得ることができるのであり、この点において作業性の向上を図ることができる。
【図面の簡単な説明】
【００１６】
【図１】歩行型管理機の全体側面図（平耕耘作業）である。
【図２】歩行型管理機の全体平面図（平耕耘作業）である。
【図３】ロータリ耕耘装置の縦断側面図（平耕耘作業）である。
【図４】ロータリ耕耘装置の背面図（平耕耘作業）である。
【図５】ロータリ耕耘装置の背面図（畝盛り作業）である。
【図６】ロータリ耕耘装置の背面図（畝盛り作業）である。
【図７】ロータリ耕耘装置の背面図（畝盛り作業）である。
【図８】発明の実施の第１別形態において、ロータリ耕耘装置の背面図（畝盛り作業）である。
【図９】発明の実施の第１別形態において、ロータリ耕耘装置の背面図（畝盛り作業）である。
【図１０】発明の実施の第２別形態において、ロータリ耕耘装置の背面図（畝盛り作業）である。
【図１１】発明の実施の第２別形態において、ロータリ耕耘装置の背面図（畝盛り作業）である。
【図１２】発明の実施の第４別形態において、ロータリ耕耘装置の背面図（畝盛り作業）である。
【図１３】発明の実施の第４別形態において、ロータリ耕耘装置の背面図（畝盛り作業）である。
【図１４】発明の実施の第４別形態において、ロータリ耕耘装置の背面図（畝盛り作業）である。
【発明を実施するための形態】
【００１７】
本発明の実施形態における前後方向及び左右方向は、特段の説明がない限り、以下のように記載している。機体の作業走行時における前進側の進行方向が「前」であり、後進側の進行方向が「後」である。前後方向での前向き姿勢を基準として右側に相当する方向が「右」であり、左側に相当する方向が「左」である。即ち、側面視である図１において、車輪３の左側が前側であり、車輪３の右側が後側である。
【００１８】
［１］
歩行型管理機の全体構成について説明する。
図１及び図２に示すように、ミッションケース１（機体に相当）の下部に右及び左の車軸２が支持され、右及び左の車軸２に右及び左の車輪３が連結されており、ミッションケース１の前部に連結された支持フレーム４にエンジン５が支持されている。
【００１９】
図１及び図２に示すように、ミッションケース１の後部に連結された伝動ケース６（機体に相当）が、斜め後方下方に延出されており、伝動ケース６に操縦ハンドル７が連結され、伝動ケース６にロータリ耕耘装置８が支持されている。
【００２０】
図１及び図２に示すように、エンジン５の動力が、ミッションケース１の内部の伝動機構（図示せず）を介して、右及び左の車輪３に伝達されており、エンジン５の動力が、ミッションケース１及び伝動ケース６の内部の伝動機構（図示せず）を介して、ロータリ耕耘装置８に伝達されている。
以上のようにして、歩行型管理機が構成されている。
【００２１】
［２］
ロータリ耕耘装置８について説明する。
図１，２，３に示すように、伝動ケース６の後部から右及び左側に駆動軸９が延出されて、駆動軸９に多数の耕耘爪１０が連結されており、耕耘爪１０の上側を覆うカバー１１が、伝動ケース６に支持されている。伝動ケース６の内部の伝動機構（図示せず）を介して伝達される動力により、耕耘爪１０を正方向Ａ１及び逆方向Ａ２に回転駆動することができる。
【００２２】
図２，３，４に示すように、カバー１１は、半円筒状の上側部１１ａと、上側部１１ａの右及び左部に連結された半円状の側壁部１１ｂとを備えており、上側部１１ａが伝動ケース６に連結されている。カバー１１の上側部１１ａの後部下部に、平板状の整地板１２がヒンジ部材１３により上下揺動自在に支持されている。
【００２３】
図３及び図４に示すように、ヒンジ部材１３は、固定部１３ａと、揺動自在な第１揺動部１３ｂ及び第２揺動部１３ｃとを備えている。ヒンジ部材１３の固定部１３ａと横長の固定部材２０とが重ねられて、カバー１１の上側部１１ａの後部下部の前面に、ボルト２１によって連結されている。ヒンジ部材１３の第１揺動部１３ｂに、整地板１２の上部がボルト２６により連結されて、整地板１２がヒンジ部材１３により上下揺動自在に支持されている。
【００２４】
図３及び図４に示すように、角パイプ状の支持部１４が、伝動ケース６の後部にブラケット１９を介して上下向きに連結されており、支持部１４がカバー１１の上側部１１ａの後部を上下方向に貫通している。支持部１４に連結されたブラケット１７に、支持ピン１６が左右方向にスライド自在に支持されており、支持ピン１６を後述する抵抗棒１５側に付勢するバネ１８が備えられている。
【００２５】
図３及び図４に示すように、抵抗棒１５が支持部１４に挿入されている。抵抗棒１５の下部に受け板１５ａが連結されており、抵抗棒１５の上部に複数の孔部１５ｂが開口されている。
【００２６】
図３及び図４に示すように、支持ピン１６を抵抗棒１５の孔部１５ｂに挿入することにより、抵抗棒１５を固定して、ロータリ耕耘装置８における抵抗棒１５の上下位置を設定することができる。支持ピン１６を抵抗棒１５の孔部１５ｂから抜き、抵抗棒１５を上下にスライドさせて、支持ピン１６を抵抗棒１５の孔部１５ｂに挿入することにより、ロータリ耕耘装置８における抵抗棒１５の上下位置を変更することができる。
【００２７】
［３］
ロータリ耕耘装置８に備えられた第１畝盛り部材２３及び第２畝盛り部材２４について説明する。
図３及び図５に示すように、カバー１１の横幅と略同じ長さを備えたレール部材２２が備えられ、レール部材２２がヒンジ部材１３の第２揺動部１３ｃに連結されて、レール部材２２がカバー１１の上側部１１ａの後部下部に沿って左右方向に支持されている。これにより、レール部材２２がヒンジ部材１３により上下揺動自在な状態となっている。
【００２８】
図５及び図６に示すように、レール部材２２に右及び左のアーム部２２ａが連結されており、レール部材２２のアーム部２２ａが支持部１４の横側付近に延出されている。支持部１４から抵抗棒１５を取り外した状態で、レール部材２２のアーム部２２ａの開口部及び支持部１４の開口部に亘って、固定ピン２５を挿入することにより、レール部材２２を上下揺動しないように固定することができる。
【００２９】
図３及び図５に示すように、右及び左の第１畝盛り部材２３が備えられている。第１畝盛り部材２３は、少し硬めの合成樹脂材により平板状に構成されて、正面視で逆三角形状（逆台形状）に構成されている。第１畝盛り部材２３の上端部に、金属製で棒状の支持部２３ｂが連結されて、第１畝盛り部材２３の支持部２３ｂがレール部材２２に移動自在に支持されている。
【００３０】
図５に示すように、右及び左の第１畝盛り部材２３の左右中央側の辺部が直線状に構成されて畝形成部２３ａとなって、右及び左の第１畝盛り部材２３の畝形成部２３ａが互いに向かい合う状態となっており、右及び左の第１畝盛り部材２３が整地板１２の前側に位置している。
【００３１】
図３及び図６に示すように、右及び左の第２畝盛り部材２４が備えられている。第２畝盛り部材２４は、第１畝盛り部材２３と同様に少し硬めの合成樹脂材により平板状に構成されている。右及び左の第２畝盛り部材２４がレール部材２２の右及び左部に連結されており、右及び左の第２畝盛り部材２４が右及び左の第１畝盛り部材２３の前側に位置し、整地板１２の前側に位置している。
【００３２】
図６に示すように、右及び左の第２畝盛り部材２４の左右中央側の辺部が円弧状に構成されて畝形成部２４ａとなっており、右及び左の第２畝盛り部材２４の畝形成部２４ａが互いに向かい合う状態となっている。
【００３３】
［４］
平耕耘作業について説明する。
平耕耘作業を行う場合、図３及び図４に示すように、固定ピン２５を使用せずに、レール部材２２を上下揺動自在な状態として、整地板１２、第１及び第２畝盛り部材２３，２４（レール部材２２）を上下揺動自在な状態としておく。
【００３４】
以上の状態において、図３及び図４に示すように、耕耘爪１０を回転駆動（正方向Ａ１）して土を耕耘するのであり、耕耘された土が後側に飛ばされた際、整地板１２、第１及び第２畝盛り部材２３，２４（レール部材２２）が上下揺動しながら、地面が平面状に均される。
【００３５】
図３及び図４に示すように、第１及び第２畝盛り部材２３，２４（レール部材２２）が前側に揺動した場合、レール部材２２のアーム部２２ａがカバー１１の上側部１１ａの後部に当たることにより、第１及び第２畝盛り部材２３，２４（レール部材２２）の前側への揺動が止められて、第１及び第２畝盛り部材２３，２４（レール部材２２）と耕耘爪１０との接触が避けられる。
【００３６】
図３及び図４に示すように、抵抗棒１５の受け板１５ａが地面に接地することにより、地面に対するロータリ耕耘装置８の高さが決められて、耕耘爪１０の耕耘深さが決められるのであり、ロータリ耕耘装置８における抵抗棒１５の上下位置を変更することにより、耕耘爪１０の耕耘深さを変更することができる。
【００３７】
［５］
畝盛り作業について説明する（その１）。
畝盛り作業を行う場合、図５に示すように、支持部１４から抵抗棒１５を取り外し、レール部材２２のアーム部２２ａの開口部及び支持部１４の開口部に亘って、固定ピン２５を挿入して、レール部材２２を上下揺動しないように固定する。
整地板１２を上側に持ち上げて、図３及び図４に示す整地板１２の支持金具１２ａを支持部１４の上部の係合部１４ａに掛けて、整地板１２を持ち上げ状態で保持する。
【００３８】
図５に示す状態は、右及び左の第１畝盛り部材２３をレール部材２２に沿って左右中央側に移動させた状態であり、第１畝盛り部材２３の畝形成部２３ａが第２畝盛り部材２４の畝形成部２４ａよりも左右中央側に位置している状態である。
【００３９】
図５に示す状態において、耕耘爪１０を回転駆動（正方向Ａ１）して土を耕耘すると、耕耘された土が後側に飛ばされた際、第１及び第２畝盛り部材２３，２４により土が止められ、第１畝盛り部材２３の畝形成部２３ａにより土が盛られて、ロータリ耕耘装置８の後方の左右中央付近に畝Ｂ１が形成される。
【００４０】
これにより、図５に示すように、横幅が比較的狭く（畝Ｂ１の断面形状が比較的小さく）、横壁が断面視で直線状の畝Ｂ１が形成される（複数の第１及び第２畝盛り部材２３，２４において、第１畝盛り部材２３が使用状態に相当し、第２畝盛り部材２４が非使用状態に相当する）。
【００４１】
この場合、図５に示すように、右及び左の第１畝盛り部材２３の左右方向の位置を、レール部材２２に沿って少し左右中央側及び少し左右外側に変更することにより、横壁が断面視で直線状の畝Ｂ１の横幅を変更することができる。
【００４２】
［６］
畝盛り作業について説明する（その２）。
図５に示す状態に対して、図６に示す状態は、右及び左の第１畝盛り部材２３をレール部材２２に沿ってレール部材２２の右及び左の端部に移動させた状態であり、第２畝盛り部材２４の畝形成部２４ａが第１畝盛り部材２３の畝形成部２３ａよりも左右中央側に位置している状態である。
図６に示す状態において、耕耘爪１０を回転駆動（正方向Ａ１）して土を耕耘すると、耕耘された土が後側に飛ばされた際、第１及び第２畝盛り部材２３，２４により土が止められ、第２畝盛り部材２４の畝形成部２４ａにより土が盛られて、ロータリ耕耘装置８の後方の左右中央付近に畝Ｂ２が形成される。
【００４３】
これにより、図６に示すように、横幅が比較的広く（畝Ｂ１の断面形状が比較的大きく）、横壁が断面視で円弧状の畝Ｂ２が形成される（複数の第１及び第２畝盛り部材２３，２４において、第１畝盛り部材２３が非使用状態に相当し、第２畝盛り部材２４が使用状態に相当する）。
【００４４】
前述のように、右及び左の第１畝盛り部材２３をレール部材２２の右及び左の端部に移動させる場合、右及び左の第１畝盛り部材２３の左右方向の位置をレール部材２２の右及び左の端部の少し手前の位置に設定することにより、図７に示すように、第１及び第２畝盛り部材２３，２４の畝形成部２３ａ，２４ａの両方によって、畝Ｂ３形成されるように設定することもできる。
【００４５】
図７に示す状態では、畝Ｂ３の横壁（断面視）の上部及び下部が、第２畝盛り部材２４の畝形成部２４ａによって形成され、畝Ｂ３の横壁（断面視）の上下中間部が、第１畝盛り部材２３の畝形成部２３ａによって形成される（第１及び第２畝盛り部材２３，２４が使用状態に相当する）。
【００４６】
［発明の実施の第１別形態］
前述の［発明を実施するための形態］に代えて、図８及び図９に示すように構成してもよい。
図８及び図９に示すように、第１及び第２畝盛り部材２３，２４の畝形成部２３ａ，２４ａの両方を直線状に構成した場合、第１畝盛り部材２３の畝形成部２３ａを垂直に近い急な傾斜に設定し、第２畝盛り部材２４の畝形成部２４ａを緩やかな傾斜に設定することにより、横壁（断面視）の傾斜が異なる畝を形成することができる。
【００４７】
この場合、図８に示す状態おいて、第１畝盛り部材２３が非使用状態に相当し、第２畝盛り部材２４が使用状態に相当する。図９に示す状態おいて、第１畝盛り部材２３が使用状態に相当し、第２畝盛り部材２４が非使用状態に相当する。
【００４８】
［発明の実施の第２別形態］
前述の［発明を実施するための形態］に代えて、図１０及び図１１に示すように構成してもよい。
図１０及び図１１に示すように、第１及び第２畝盛り部材２３，２４において、第１畝盛り部材２３の長さＬ１を短いものに設定し、第２畝盛り部材２４の長さＬ２を長いものに設定することにより、横壁（断面視）が、図１０に示す直線状の畝（第１畝盛り部材２３が非使用状態に相当し、第２畝盛り部材２４が使用状態に相当する）、及び、図１１に示す階段状の畝（第１及び第２畝盛り部材２３，２４が使用状態に相当する）を形成することができる。
【００４９】
［発明の実施の第３別形態］
前述の［発明を実施するための形態］［発明の実施の第１別形態］［発明の実施の第２別形態］において、以下に示すように構成してもよい。
【００５０】
第１畝盛り部材２３を固定状態とし、第２畝盛り部材２４の左右方向の位置を変更できるように構成してもよく、第１及び第２畝盛り部材２３，２４の両方の左右方向の位置を変更できるように構成してもよい。
【００５１】
図３及び図４に示すように、平耕耘作業を行う場合、整地板１２、第１及び第２畝盛り部材２３，２４が側面視で前後方向に互いに離れないように、整地板１２、第１及び第２畝盛り部材２３，２４を連結部材（図示せず）により互いに連結して、整地板１２、第１及び第２畝盛り部材２３，２４が一体で上下揺動するように構成してもよい。
【００５２】
第１及び第２畝盛り部材２３，２４に、第３畝盛り部材（図示せず）や第４畝盛り部材（図示せず）を加えて、これらのうちの一つ、又は複数、又は全てにおいて、左右方向の位置を変更できるように構成してもよい。
【００５３】
第１及び第２畝盛り部材２３，２４、第３畝盛り部材（図示せず）や第４畝盛り部材（図示せず）において、スライドにより左右方向の位置を変更するのではなく、カバー１１の上側部１１ａから取り外して、カバー１１の上側部１１ａの異なる位置に再び取り付けることにより、左右方向の位置を変更するように構成してもよい。
【００５４】
［発明の実施の第４別形態］
前述の［発明を実施するための形態］に代えて、図１２，１３，１４に示すように構成してもよい。
図１２に示すように、第１畝盛り部材２３、第２畝盛り部材２４、第３畝盛り部材２７を前後に並べて備え、畝盛り作業において、第１，２，３畝盛り部材２３，２４，２７を固定部材（図示せず）によりカバー１１の上側部１１ａに固定状態としておく。
図１２に示す状態において、第１，２，３畝盛り部材２３，２４，２７が使用状態であり、横幅が比較的狭い畝（畝の断面形状が比較的小さい畝）を得ることができる。
【００５５】
図１３に示すように、第１畝盛り部材２３を上側に持ち上げて保持することにより、第１畝盛り部材２３を非使用状態とする。図１３に示す状態において、第２，３畝盛り部材２４，２７が使用状態であり、横幅が中間的な畝（畝の断面形状が中間的な大きさの畝）を得ることができる。
【００５６】
図１４に示すように、第１畝盛り部材２３に加えて、第２畝盛り部材２４を上側に持ち上げて保持することにより、第１及び第２畝盛り部材２３，２４を非使用状態とする。図  １４に示す状態において、第３畝盛り部材２７が使用状態であり、横幅が比較的広い畝（畝の断面形状が比較的大きい畝）を得ることができる。
【００５７】
［発明の実施の第５別形態］
前述の［発明の実施の第４別形態］において、第１畝盛り部材２３（第２畝盛り部材２４）を上側に持ち上げる場合、右及び左の第１畝盛り部材２３（第２畝盛り部材２４）の上部に亘って、接続部（図示せず）を連結して、右及び左の第１畝盛り部材２３（第２畝盛り部材２４）を一体で上側に持ち上げることができるように構成してもよい。
【００５８】
［発明の実施の第６別形態］
前述の［発明の実施の第４別形態］［発明の実施の第５別形態］において、第１，２，３畝盛り部材２３，２４，２７の形状を、前述の［発明を実施するための形態］［発明の実施の第１別形態］〜［発明の実施の第３別形態］に記載のように構成してもよい。
【産業上の利用可能性】
【００５９】
本発明は、ロータリ耕耘装置を機体に備えて平耕耘作業及び畝盛り作業を行えるように構成した歩行型管理機に適用することができる。
【符号の説明】
【００６０】
１，６            機体
８                ロータリ耕耘装置
２３，２４，２７  畝盛り部材
Ｂ１，Ｂ２，Ｂ３  畝
【図１】
0006537474.tif 000002
【図２】
0006537474.tif 000003
【図３】
0006537474.tif 000004
【図４】
0006537474.tif 000005
【図５】
0006537474.tif 000006
【図６】
0006537474.tif 000007
【図７】
0006537474.tif 000008
【図８】
0006537474.tif 000009
【図９】
0006537474.tif 000010
【図１０】
0006537474.tif 000011
【図１１】
0006537474.tif 000012
【図１２】
0006537474.tif 000013
【図１３】
0006537474.tif 000014
【図１４】
0006537474.tif 000015